(57)【要約】【課題】本発明が解決すべき課題は、愛玩動物の耳穴内の状態にかかわらず簡単に耳垢を除去することであり、かつ清浄時にダメージを受け易い耳穴内を健やかに保つことを目的とした組成物を提供することである。【解決手段】本発明者らは、上記の状況に鑑み優れた愛玩動物用耳穴内清浄組成物を得るべく鋭意検討を行った結果、で水およびエタノールと親水性非イオン性界面活性剤を配合することを特徴とする水系液状組成物により、愛玩動物の垂れた耳、立った耳による耳穴内の状態にかかわらず簡単に耳垢を除去することができた。また、使用後に耳穴内の炎症も見られず、臭いも少なくなり長時間耳穴内が健康な状態に保つことができる組成物であった。これらのことで清浄時にダメージを受け易い耳穴内を健やかに保つができる。【特許請求の範囲】
【請求項１】
室内で飼育される犬、猫等の愛玩動物の耳穴内を清浄にするのに用いる水系液状組成物。
【請求項２】
水およびエタノールと親水性非イオン性界面活性剤を配合することを特徴とする請求項１記載の水系液状組成物。
【請求項３】
エタノールを５．０〜２５．０重量％、親水性非イオン性界面活性剤を０．５〜２０．０重量％配合することを特徴とする請求項２記載の水系液状組成物。
【請求項４】
抗菌成分と抗炎症成分を配合することを特徴とする請求項１乃至請求項３記載の水系液状組成物。
【発明の詳細な説明】
【０００１】
【産業上の利用分野】
本発明は、犬、猫等の室内愛玩動物において耳穴内の日常手入れに関する発明である。より詳細には、湿った耳垢でも乾燥した耳垢でも耳穴内のコンディションに関わらず簡単に耳穴内を綿棒などで清浄にすることができる組成物であり、かつ抗菌成分と抗炎症成分を配合することで、清浄時にダメージを受け易い耳穴内を健やかに保つことを目的とする。
【０００２】
【従来の技術】
一般的な愛玩動物である犬，猫等の飼育に関して、近年では室内での飼育が主流になりつつある。これは、以前では犬の飼育は庭で、猫の飼育は放し飼いにされていたものが、特に都市部での住宅事情により、庭の面積が犬の飼育に適するまで確保できない、近隣との関係が希薄になっているため猫の放し飼いが容認されないといった環境であることに起因する。そのため、住居を締め切ってその中で放し飼いといった場合や、通常はケージで飼育し必要なときだけ部屋に放つ等、飼育環境のほとんどが室内である場合も少なくない。
これらの飼育環境では、愛玩動物を清潔に保つということが大変重要になったことから、耳穴内を清浄にすることも一般的におこなわれるようになった。
ところが犬、猫等の愛玩動物においては、耳の形状で耳穴内のコンディションが２種類に分かれる。１つは、垂れた耳を持つタイプで耳穴内が閉塞され非常に湿った状態になり、形成される耳垢が固まって耳穴壁に張り付き容易に耳穴壁から剥がすことができない。一方もう１つのタイプは、立った耳を持つタイプで耳穴内は乾燥した状態となり耳垢が剥がれやすく、まとめて取ることができず綿棒による清浄がしにくい。
そのため現在では、垂れた耳を持つ湿った耳垢専用のパウダータイプと、立った耳を持つ乾燥した耳垢専用のオイルタイプの２種類が、市場で販売されている耳穴清浄組成物として一般的である。そのため耳穴清浄組成物を購入する際には、このことを充分理解していなくてはならないし、もし間違ったタイプを使用すると耳垢が取れない、パウダーが耳穴内に残留するなどの問題が発生すると考えられる。また、垂れた耳と立った耳の異なったタイプの愛玩動物を同時に飼育する際には、耳穴清浄組成物を２種類とも常備する必要がある。
【０００３】
【発明が解決しようとする課題】
そこで、本発明が解決すべき課題は、愛玩動物の耳穴内の状態にかかわらず簡単に耳垢を除去することであり、かつ清浄時にダメージを受け易い耳穴内を健やかに保つことを目的とした組成物を提供することである。
【０００４】
【問題を解決するための手段】本発明者らは、上記の状況に鑑み優れた耳穴内清浄組成物を得るべく鋭意検討を行った結果、で水およびエタノールと親水性非イオン性界面活性剤を配合することを特徴とする水系液状組成物で目的とする効果が得られることを見出し、本発明を完成するに至った。
【０００５】
【発明の実施の形態】
以下、本発明の実施の形態について説明する。
水およびエタノールと親水性非イオン性界面活性剤を配合することで、耳穴内の状態にかかわらず耳垢を簡単に取り除くことのできる本発明の耳穴内清浄組成物が得られる。また、抗菌成分と抗炎症成分を配合することで、清浄時にダメージを受け易い耳穴内を健やかに保つ効果が得られた。
【０００６】
本発明に使用される親水性非イオン性界面活性剤は、水およびエタノールに可溶で任意に混合できるものであり、ポリグリセリン脂肪酸エステルやショ糖脂肪酸エステル、アルキルグルコシド、ポリオキシエチレンアルキルエーテル、ポリオキシエチレン脂肪酸エステル、ポリオキシエチレンソルビタン脂肪酸エステル、ソルビタン脂肪酸エステル、グリセリン脂肪酸エステル、ポリオキシエチレングリセリン脂肪酸エステル、ポリオキシエチレン硬化ヒマシ油、アルキルエーテル変性シリコーン等の非イオン界面活性剤のうちＨＬＢ値として１３以上、より好ましくは１５以上の親水性の高いものが好適である。このときＨＬＢ値が低いと水溶性が低くなり安定な組成物とならない。
【０００７】
これらの親水性非イオン性界面活性剤は、１種又は２種以上を組み合わせて用いることができ、全組成中に０．５〜２０．０重量％、特に１．０〜１０．０重量％配合することで耳垢に対する浸潤性が高く軟化効果が良好であり、且つ安全性、安定性の面でも好ましい。このとき０．５重量％の配合では、耳垢の軟化効果が充分でなく、２０．０重量％以上の場合は、使用後の残留量が多くべたつくため空気中のゴミ、ほこりを吸着し不潔な状態になりやすい。
【０００８】
本発明に使用されるエタノール配合量は、全組成中に１．０〜３０．０重量％、特に１．０〜１０．０重量％配合すると、使用後の乾きやすさ、抗菌性、非イオン性界面活性剤との溶解性が良好で、且つ安全性、安定性の面でも好ましい。
【０００９】
本発明に使用される抗菌剤としては、イオウ、イソプロピルメチルフェノール、トリクロサン、塩化ベンザルコニウムなどが挙げられる。
【００１０】
本発明に使用される抗炎症剤としては、イプシロンアミノカプロン酸、グリチルリチン酸ジカリウム、グリチルレチン酸ステアリルなどが挙げられる。
【００１１】
本発明の組成物に配合される成分として下記に示す、その配合に際しては、本発明の効果を損なわない量的、質的範囲内である。もちろんこれに限定されるものではない。増粘剤、酸化防止剤、薬剤、香料あるいは他の揮発性成分等を配合しても良い。
【００１２】
例えば、増粘剤としては、カルボキシビニルポリマー、ポリアクリル酸ナトリウム、ポリアクリル酸アミド等のアクリル酸系高分子、カチオン化グアーガム、キサンタンガム、ヒドロキシエチルセルロース、アルギン酸、寒天等の多糖類、ベントナイト、ヘクトライト、無水ケイ酸等の無機系増粘剤等一般に汎用される増粘剤が用いられる。防腐剤としては、パラオキシ安息香酸エステル、安息香酸ナトリウム等の汎用される防腐剤が用いられ、酸化防止剤としては，トコフェロール、ジブチルヒドロキシトルエン、ブチルヒドロキシアニソ−ル等の汎用される酸化防止剤が用いられる。薬剤としては、ビタミンＣ類、ビタミンＥ類等のビタミン類、各種アミノ酸、生薬などの汎用される薬剤が用いられる。
【００１３】
以下に実施例を示して本発明について具体的に説明するが、これによって本発
明の技術的範囲が限定的に解釈されるべきものではない。なお、以下の表に示
す組成物の配合量は総て重量％で示す。
【００１４】
【実施例】
実施例１　耳穴清浄用ローション
（１）エタノール　１０．０％（２）モノラウリン酸ポリオキシエチレンソルビタン（２０Ｅ．Ｏ．）　２．０％（３）塩化ベンザルコニウム　　０．０３％（４）グリチルリチン酸ジカリウム　　０．０５％（５）精製水　７７．２７％（６）グリセリン　　１０．０％（７）パラベン　０．３％（８）ヒドロキシエチルセルロース　　０．３％（９）香料　　０．０５％
上記組成物を家庭用綿棒に染まして耳穴内の清浄を行ない評価した。
垂れた耳をもつ愛玩動物としてはミニチュアダックスフンド（犬）およびアイリッシュセッター（犬）で、立った耳を持つ愛玩動物としてウエルシュコーギー（犬）およびアメリカンショートヘア（猫）にて実施した。
【００１５】実施結果
実施例の耳穴清浄用ローションを用いると、垂れた耳の湿った耳垢でも立った耳の乾燥した耳垢でも簡単に、しかもきれいに清浄することができた。通常であれば拭き取りにくい複雑な耳穴の襞の周りも簡単に耳垢を拭きとることができた。また、実施後に耳穴内の炎症も見られず、臭いも少なくなり長時間耳穴内が健康な状態に保たれていた。
その他の効果としては、飼い主とのスキンシップが取れることで愛玩動物との愛着が増すことが考えられる。
【００１６】
実施例２　耳穴清浄用ジェル
（１）精製水　８２．３３％（２）エタノール　　１２．０％（３）カルボキシビニルポリマー　０．２％（４）ポリオキシエチレン硬化ヒマシ油（１００Ｅ．Ｏ．）　　３．０％（５）イソプロピルメチルフェノール　０．０５％（６）イプシロンアミノカプロン酸　　０．０５％（７）パラベン　０．３％（８）トリエタノールアミン　０．０５％（９）香料０．０２％
（製法）（１）〜（３）を混合溶解する。あらかじめ溶解しておいた（４）、（５）を加え混合溶解する。（６）〜（９）を順次加え混合する。
【００１７】
【発明の効果】
本発明品は、愛玩動物の垂れた耳、立った耳による耳穴内の状態にかかわらず簡単に耳垢を除去することが可能であり、使用後に耳穴内の炎症も見られず、臭いも少なくなり長時間耳穴内が健康な状態に保たれていた。これらのことで清浄時にダメージを受け易い耳穴内を健やかに保つができる。
また、本発明品を用いることで、簡単に耳穴内の清浄ができるようになるため、使用頻度が増すことで、スキンシップを取る一助となれば飼い主と愛玩動物との愛着が増すことも考えられる。